(57)【要約】【課題】個々の検診対象者について検診のタイミングを決定し、検診対象者に対し、より適切なタイミングで、検診を行なわせることができる検診システム等を提供する。【解決手段】検診対象者の情報を取得する取得部２１と、検診対象者の情報と検診対象者の個々の身体特性の情報とを記憶する記憶部２２と、検診対象者の個々の身体特性の情報に基づいて検診を行なうタイミングを検診対象者ごとに決定する決定部２３と、決定されたタイミングにて、検尿、検便および検血の少なくとも１つを誘導する誘導情報を出力する出力部２４と、を有する検診システム。【選択図】図３
2020009069.tif 000002
【特許請求の範囲】
【請求項１】
検診対象者の情報を取得する取得手段と、
前記検診対象者の情報と、当該検診対象者の個々の身体特性の情報とを記憶する記憶手段と、
前記検診対象者の個々の身体特性の情報に基づいて検診を行なうタイミングを検診対象者ごとに決定する決定手段と、
決定された前記タイミングにて、検尿、検便および検血の少なくとも１つを誘導する誘導情報を出力する出力手段と、
を有する検診システム。
【請求項２】
前記決定手段は、前記検診のタイミングを、前記検診対象者の検診の申し込みの有無に関係なく決定することを特徴とする請求項１に記載の検診システム。
【請求項３】
前記誘導情報は、前記検診を行なう検査キットを前記検診対象者に届けるための情報であることを特徴とする請求項１に記載の検診システム。
【請求項４】
前記誘導情報は、前記検査キットを前記検診対象者に届けるとともに、前記検診以外のサービスに関連付けられた情報であることを特徴とする請求項３に記載の検診システム。
【請求項５】
前記検診以外のサービスは、インフラ供給に関するサービスであることを特徴とする請求項４に記載の検診システム。
【請求項６】
前記決定手段は、既に行なった検診の結果を加味して前記タイミングを決定することを特徴とする請求項１に記載の検診システム。
【請求項７】
前記決定手段は、既に行なった検診の結果として、既に行なった検診の時期および／または医師の判断に応じ、前記タイミングを決定することを特徴とする請求項６に記載の検診システム。
【請求項８】
前記決定手段は、前記身体特性の情報から、検診の項目についての優先度をさらに決定することを特徴とする請求項１に記載の検診システム。
【請求項９】
前記決定手段は、前記身体特性の情報と当該身体特性の基準値との差を基に算出されるスコアにより前記優先度を決定することを特徴とする請求項８に記載の検診システム。
【請求項１０】
前記決定手段は、前記身体特性の情報の中にある前記検診対象者の病名を基に前記優先度を決定することを特徴とする請求項８に記載の検診システム。
【請求項１１】
コンピュータに、
検診対象者の情報を取得する取得機能と、
前記検診対象者の情報と、当該検診対象者の個々の身体特性の情報とを記憶する記憶機能と、
前記検診対象者の個々の身体特性の情報に基づいて検診を行なうタイミングを検診対象者ごとに決定する決定機能と、
決定された前記タイミングにて、検尿、検便および検血の少なくとも１つを誘導する誘導情報を出力する出力機能と、
を実現させるためのプログラム。
【発明の詳細な説明】
【技術分野】
【０００１】
本発明は、検診システム、プログラムに関する。
【背景技術】
【０００２】
従来、検診を希望する検診対象者が検診を申し込むと、検診対象者に対し、検査キット等を送付し、検診対象者が在宅にて検査キット等を使用して検体を採取して、検査センター等に返送することにより、検診を行なう検診方法が存在する。
【０００３】
例えば、特許文献１に記載の検診システムは、検診の申し込みと同時に被検者情報をデータベース化し、検体採取用具の受け渡し及び採取した検体の輸送方法を改善し、検査結果をデータベースに追記する事により達成されたことが記載されている。
【０００４】
また特許文献２に記載の在宅検診支援システムは、顧客端末で入力されたメールアドレスと検診項目情報と送付先情報とを受け付け、在宅検診キット送付センタから送付された検診キットにより採取した検診サンプルを回収し、分析結果の情報を顧客の識別情報を顧客データベースに記録し分析結果の情報を医師の端末に表示し所見情報の入力を受け付け、該当の顧客情報に関連付けて顧客データベースに記録し、顧客データベースに記録された分析結果の情報と所見情報を関連する顧客情報内に含まれる顧客のメールアドレスに通信回線を介して送信する検診結果送付手段と、を有することが記載されている。
【０００５】
さらに特許文献３に記載のエイズの在宅検診システムは、エイズ検査の申込みを受け付ける工程と、所定の採血キットを郵便，宅配便等の適当な輸送手段にて検査申込者の手元に輸送する工程と、検査申込者のところにおいて、採血キットにより検査申込者の血液を所定量採取して、採血管に収容する工程と、その採血管を検査申込者より検査センターに返送を受ける工程と、検査センターにおいて、採血管内の血液に対して、エイズウイルス感染の有無を検査する工程と、かかる検査の結果を、検査センターより、検査申込者に対して通知する工程とを含むようにして、エイズの在宅検診システムを構成したことが記載されている。
【先行技術文献】
【特許文献】
【０００６】
【特許文献１】特開２００３−１０８６７２号公報
【特許文献２】特開２００２−２１５７８９号公報
【特許文献３】特開２００１−３０５１４０号公報
【発明の概要】
【発明が解決しようとする課題】
【０００７】
しかしながら、従来は、検診対象者が検診を申し込まないと、検査キット等の送付は行なわれず、本来行なうべき適切なタイミングで検診を行なえないことがあった。また検診のタイミングは、個々の検診者により異なり、検診対象者が把握しているとは限らない。よってこの場合も同様に、適切な検診のタイミングを逃すことがある。
本発明は、個々の検診対象者について検診のタイミングを決定し、検診対象者に対し、より適切なタイミングで、検診を行なわせることができる検診システム等を得ることを目的とする。
【課題を解決するための手段】
【０００８】
かくして本発明によれば、検診対象者の情報を取得する取得手段と、検診対象者の情報と、検診対象者の個々の身体特性の情報とを記憶する記憶手段と、検診対象者の個々の身体特性の情報に基づいて検診を行なうタイミングを検診対象者ごとに決定する決定手段と、決定されたタイミングにて、検尿、検便および検血の少なくとも１つを誘導する誘導情報を出力する出力手段と、を有する検診システムが提供される。
【０００９】
ここで、決定手段は、検診のタイミングを、検診対象者の検診の申し込みの有無に関係なく決定することができる。この場合、より適切なタイミングで検診を受けやすくなる。
また誘導情報は、検診を行なう検査キットを検診対象者に届けるための情報とすることができる。この場合、検診対象者の検診に対する負担が軽減される。
さらに誘導情報は、検査キットを検診対象者に届けるとともに、検診以外のサービスに関連付けられた情報とすることができる。この場合、検診以外のサービスを実施するタイミングに合わせて、検査キットを検診対象者に届けることができる。
またさらに検診以外のサービスは、インフラ供給に関するサービスとすることができる。この場合、検診以外のサービスを設定しやすくなる。
【００１０】
決定手段は、既に行なった検診の結果を加味してタイミングを決定することができる。この場合、より適切なタイミングを決定することができる。
決定手段は、既に行なった検診の結果として、既に行なった検診の時期および／または医師の判断に応じ、タイミングを決定することができる。この場合、さらに適切なタイミングを決定することができる。
【００１１】
決定手段は、身体特性の情報から、検診の項目についての優先度をさらに決定することができる。この場合、優先度に応じて検診の項目やタイミングを選択することができる。
決定手段は、身体特性の情報と身体特性の基準値との差を基に算出されるスコアにより優先度を決定することができる。この場合、優先度の決定がより容易になる。
決定手段は、身体特性の情報の中にある検診対象者の病名を基に優先度を決定することができる。この場合、病名の種類に応じてより適切に優先度を決定することができる。
【００１２】
さらに本発明によれば、コンピュータに、検診対象者の情報を取得する取得機能と、検診対象者の情報と、検診対象者の個々の身体特性の情報とを記憶する記憶機能と、検診対象者の個々の身体特性の情報に基づいて検診を行なうタイミングを検診対象者ごとに決定する決定機能と、決定されたタイミングにて、検尿、検便および検血の少なくとも１つを誘導する誘導情報を出力する出力機能と、を実現させるためのプログラムが提供される。
【発明の効果】
【００１３】
本発明によれば、個々の検診対象者について検診のタイミングを決定し、検診対象者に対し、より適切なタイミングで、検診を行なわせることができる検診システム等を得ることができる。
【図面の簡単な説明】
【００１４】
【図１】本実施の形態における検診システムの構成例を示す図である。
【図２】検診システムの概略動作例について示した図である。
【図３】検診システムの機能構成例を示したブロック図である。
【図４】取得部で取得される検診対象者の情報および身体特性の一例を示した図である。
【図５】決定部が、タイミングを決定する方法の第１の例を示した図である。
【図６】決定部が、タイミングを決定する方法の第２の例を示した図である。
【図７】決定部が、優先度を決定する第１の例を示した図である。
【図８】決定部が、優先度を決定する第２の例を示した図である。
【図９】誘導情報の第１の例について示した図である。
【図１０】誘導情報の第２の例について示した図である。
【図１１】検診システムにおける第１の実施形態の動作について示したフローチャートである。
【図１２】検診システムにおける第２の実施形態の動作について示したフローチャートである。
【発明を実施するための形態】
【００１５】
以下、添付図面を参照して、本発明の実施の形態について詳細に説明する。
【００１６】
＜検診システム全体の説明＞
図１は、本実施の形態における検診システム１の構成例を示す図である。
図示するように本実施の形態の検診システム１は、検診システム１を運営する運営会社における端末装置１０および管理サーバ２０と、代理店における端末装置３０ａ、端末装置３０ｂ、端末装置３０ｃおよび管理サーバ４０と、検査会社における端末装置５０および管理サーバ６０とが、ネットワーク７０やネットワーク８０を介して接続されることにより構成されている。
【００１７】
なお以下、端末装置３０ａ、端末装置３０ｂおよび端末装置３０ｃをそれぞれ区別しない場合には、単に「端末装置３０」と言うことがある。
【００１８】
なお図１では、端末装置１０および端末装置５０は、それぞれ１つずつ示し、端末装置３０は、それぞれ３つずつ示したが、個数はいくつでもよい。
【００１９】
端末装置１０、３０、５０は、例えば、所謂汎用のパーソナルコンピュータ（ＰＣ）である。またスマートフォン、タブレット等の携帯端末であってもよい。そして、端末装置１０は、ＯＳ（Operating System）による管理下において、各種アプリケーションソフトウェアを動作させることで、種々の情報処理を行なうことができる。
【００２０】
管理サーバ２０、４０、６０は、サーバコンピュータであり、検診に関する情報について送受信を行なうとともに、これの保存および管理を行なう。
【００２１】
本実施の形態では、運営会社において、端末装置１０を使用して、検診対象者の情報や検診対象者の身体特性を入力する。また運営会社のユーザは、端末装置１０を使用して、検診対象者の情報や検診対象者の身体特性を閲覧することができる。ここで、「検診対象者」は、検診を受診する人物である。また「検診対象者の情報」は、検診対象者を特定するための情報であり、例えば、住所、氏名、生年月日、検診対象者のコードなどである。さらに「検診対象者の身体特性」は、検診対象者の身体の情報であり、身体に関する情報であれば、その範囲は、特に限られるものではない。例えば、検診対象者の性別、年齢、身長、体重、過去の検診の結果、障害の有無、ＳＮＰ（Single Nucleotide Polymorphism：一塩基多型）等のＤＮＡ情報などである。
【００２２】
また管理サーバ２０は、検診対象者の情報や検診対象者の身体特性を記憶する。また管理サーバ２０は、検診の項目および検診のタイミングを決定する。そして検診の項目および決定されたタイミングは、誘導情報として、予め定められた期間毎に管理サーバ４０に送られる。また検診の結果を管理サーバ６０から受信し、保存および管理を行なう。ここで「誘導情報」とは、具体的には後述するが、検診対象者に対し、検尿、検便および検血の少なくとも１つの検診を誘導する情報である。誘導情報には、検診の項目および検診のタイミングが少なくとも含まれる。そして誘導情報は、検診対象者に対し、このタイミングにて検尿、検便および検血の少なくとも１つを、決定されたタイミングで行なわせるために、検診を行なう検査キットを検診対象者に届けるための情報である。
なお検診対象者の情報や検診対象者の身体特性は、端末装置１０から入力するのみならず、検診対象者から、例えば、検診対象者の所有する携帯端末等により入力され、送信された情報として、管理サーバ２０が直接取得してもよい。
【００２３】
代理店では、端末装置３０を使用して、検診対象者に対する検診の項目やタイミングを閲覧することができる。図示する端末装置３０ａ、端末装置３０ｂ、端末装置３０ｃは、例えば、代理店の各営業所にそれぞれ配される。
管理サーバ４０は、管理サーバ２０から送られた検診対象者に対する検診の項目やタイミングの保存および管理を行なう。
【００２４】
検査会社では、端末装置５０を利用して、検診対象者についての検診の結果を入力する。また検診の結果を閲覧することもできる。
管理サーバ６０は、入力された検診の結果を検診対象者の情報に関連付けて保存および管理する。また検診の結果を管理サーバ２０に対し、送信する。
【００２５】
端末装置１０、３０、５０、および管理サーバ２０、４０、６０は、演算手段であるＣＰＵと、記憶手段であるメインメモリ及びＨＤＤ（Hard Disk Drive）とを備える。ここで、ＣＰＵは、ＯＳ（基本ソフトウェア）やアプリケーションプログラム（応用ソフトウェア）等の各種ソフトウェアを実行する。また、メインメモリは、各種ソフトウェアやその実行に用いるデータ等を記憶する記憶領域であり、ＨＤＤは、各種ソフトウェアに対する入力データや各種ソフトウェアからの出力データ等を記憶する記憶領域である。
さらに、端末装置１０、３０、５０、および管理サーバ２０、４０、６０は、外部との通信を行うための通信インタフェース（以下、「通信Ｉ／Ｆ」と表記する）と、ビデオメモリやディスプレイ等からなる表示機構と、タッチパネルやキーボード等の入力機構とを備える。
【００２６】
ネットワーク７０は、管理サーバ２０、管理サーバ４０、管理サーバ６０の間の情報通信に用いられる通信手段であり、例えば、インターネットである。
【００２７】
ネットワーク８０も、ネットワーク７０と同様に、管理サーバ２０、管理サーバ４０、管理サーバ６０の間の情報通信に用いられる通信手段であり、例えば、ＬＡＮ（Local Area Network）である。
【００２８】
＜検診システム１の動作の概略説明＞
図２は、検診システム１の概略動作例について示した図である。
まず運営会社のユーザが、端末装置１０にて、検診対象者の情報や検診対象者の身体特性を入力し、管理サーバ２０にて保存する（１Ａ）。
【００２９】
管理サーバ２０では、身体特性の情報を基に、検診の項目と検診を行なうタイミングとを決定する。そしてこれらは、毎月１５日など予め定められた期間毎に、誘導情報として、管理サーバ４０に送られ、管理サーバ４０では、これを保存する（１Ｂ）。なおここでは、検診の項目は、検尿、検便および検血の少なくとも１つである。
【００３０】
代理店では、端末装置３０を利用し、代理店のユーザが検診の項目とタイミングとを、管理サーバ４０からダウンロードし、閲覧する（１Ｃ）。
そして代理店のユーザは、検診の項目に対応する検査キットを、検診対象者の自宅に届ける（Ｋ１）。検査キットを検診対象者の自宅に届けるには、郵送等で送付してもよく、後述するように、検診対象者の自宅に訪問して届けてもよい。
【００３１】
そして検査キットを利用して、検診対象者が採取した検体は、検査会社に送られる（Ｋ２）。検体は、検尿の場合は、検診対象者の尿、検便の場合は、検診対象者の便、検血の場合は、検診対象者の血液となり、これらを予め定められた容器に封入したものを送る。検体を検査会社に送るのは、郵送等で直接送付してもよく、代理店が回収し、検査会社に直接届けたり、送付する方法で行なってもよい。
【００３２】
また検診対象者の情報や検診の項目は、管理サーバ４０から管理サーバ６０に別途送られる（１Ｄ）。
【００３３】
検体を受け取った検査会社では、検体を基に所定の検査を行なう。そして検査会社のユーザが、端末装置５０を使用して検診の結果を端末装置に入力すると、管理サーバ６０に送られ、管理サーバ６０では、検診の結果を検診対象者の情報と関連付けて保存する（１Ｅ）。
さらに管理サーバ６０は、検診の結果を運営会社の管理サーバ２０に送信する（１Ｆ）。そして管理サーバ２０は、検診の結果を検診対象者の情報と関連付けて保存する。
【００３４】
次に、本実施の形態の検診システム１の詳細な機能構成および動作について説明する。
【００３５】
＜検診システム１の機能構成の説明＞
図３は、検診システム１の機能構成例を示したブロック図である。
なおここでは、検診システム１が有する種々の機能のうち本実施の形態に関係するものを選択して図示している。
【００３６】
図示するように、端末装置１０、端末装置３０および端末装置５０は、同様の機能構成を有する。即ち、情報の送受信を行なう送受信部１１、３１、５１と、画像の表示を行なう表示部１２、３２、５２と、情報を入力する入力部１３、３３、５３とを備える。
【００３７】
送受信部１１、３１、５１は、例えば、通信Ｉ／Ｆであり、ネットワーク８０を介し、それぞれに接続する管理サーバ２０、４０、６０と情報の送受信を行なう。
【００３８】
表示部１２、３２、５２は、例えば、ＰＣ用の液晶ディスプレイである。ただしこれに限られるものではなく、画像を表示する機能を備えたものであればよい。よって、例えば、液晶テレビ、ブラウン管ディスプレイ、有機ＥＬディスプレイ、プラズマディスプレイ、プロジェクタなどであってもよい。
【００３９】
入力部１３、３３、５３は、キーボードやマウス等で構成される。入力部１３は、情報処理を行なうためのアプリケーションソフトウェアの起動、終了や、ユーザが情報の入力を行なうために使用する。
【００４０】
また管理サーバ４０および管理サーバ６０も図示するように、同様の機能構成を有する。即ち、情報の送受信を行なう送受信部４１、６１と、取得した情報を記憶する記憶部４２、６２を備える。
【００４１】
送受信部４１、６１は、例えば、通信Ｉ／Ｆであり、ネットワーク８０を介し、それぞれに接続する管理サーバ２０、４０、６０と情報の送受信を行なう。また送受信部４１、６１は、ネットワーク７０を介し、他の管理サーバとの間で情報の送受信を行なう。
【００４２】
記憶部４２は、例えば、ＨＤＤであり、管理サーバ２０から送信された誘導情報を記憶する。
また記憶部６２も、例えば、ＨＤＤであり、管理サーバ４０から送信された検診の項目や検診対象者の情報を記憶する。さらに記憶部６２は、端末装置５０にて入力された検診の結果を検診対象者の情報に関連付けて記憶する。
【００４３】
管理サーバ２０は、端末装置１０および管理サーバ６０から、検診対象者に関する情報を取得する取得部２１と、取得した情報を記憶する記憶部２２と、検診の項目とタイミングを決定する決定部２３と、検診対象者に検診を受けさせるための誘導情報を出力する出力部２４と、を備える。
【００４４】
取得部２１は、取得手段の一例であり、端末装置１０にて入力されたユーザの指示に従い、検診対象者の情報を取得する。また取得部２１は、同様にして検診対象者の身体特性を取得する。さらに管理サーバ６０から検診対象者の検診の結果を取得する。この検診の結果は、検診対象者の身体特性の一部として、新たに付加される。
【００４５】
図４は、取得部２１で取得される検診対象者の情報および身体特性の一例を示した図である。
ここでは、検診対象者の情報および身体特性を、過去の健康診断結果通知書により得る場合を示している。
この中で上部左側の枠Ｂ１１内には、検診対象者の住所と氏名が記載されている。これは検診対象者を特定する情報であり、検診対象者の情報となる。
また上部右側の枠Ｂ１２内には、検診対象者の生年月日、性別／年齢が記載されている。これは、検診対象者の身体に関する情報であり、身体特性である。さらに下部の枠Ｂ１３内には、検診対象者の健康診断の結果として、検診の項目とその測定値が記載されている。この検診の項目と測定値との関係も検診対象者の身体に関する情報であり、身体特性である。
【００４６】
記憶部２２は、記憶手段の一例である。記憶部２２は、検診対象者の情報と、検診対象者の個々の身体特性とを記憶する。また記憶部２２は、詳しくは後述するが、検診対象者に提供する検診以外のサービスに関する情報を記憶してもよい。
【００４７】
決定部２３は、決定手段の一例である。決定部２３は、検診対象者の個々の身体特性の情報に基づいて検診を行なうタイミングを検診対象者ごとに決定する。
このタイミングの決定方法として、検診対象者ごとに、タイミングを一定の期間毎に設定することができる。
【００４８】
図５は、決定部２３が、タイミングを決定する方法の第１の例を示した図である。
ここでは、検診対象者の年齢について５つの区分を設け、これに応じ検尿、検便および検血についての各項目の検診を行なう期間を設定した場合を示している。つまり、ここでは、即ち、年齢を、区分Ｎ１〜区分Ｎ５において、それぞれ２０歳以下、２１歳以上３５歳以下、３６歳以上５０歳以下、５１歳以上６５歳以下、６５歳以上に区分している。そしてそれぞれの区分ごとに検尿、検便および検血について検診を行なう期間を、３ケ月、６ケ月、１年の３段階で設定している。そしてここで設定された期間ごとにそれぞれの検診を行なうタイミングが決定される。例えば、年齢が２０歳以下では、検尿、検便、検血についてそれぞれ1年毎にタイミングが設定される。
【００４９】
また図６は、決定部２３が、タイミングを決定する方法の第２の例を示した図である。
ここでは、検診対象者の病名に応じ検尿、検便および検血についての各項目の検診を行なう期間を設定した場合を示している。
ここでは、病名ごとに検尿、検便および検血について検診を行なう期間を、３ケ月、６ケ月、１年の３段階で設定している。そしてここで設定された期間ごとにそれぞれの検診を行なうタイミングが決定される。
【００５０】
ただし、検診対象者ごとに、タイミングを一定の期間毎に一律に設定するのみならず、次の検診のタイミングの調整を行なってもよい。
この場合、決定部２３は、検診対象者ごとに定められたタイミングに、既に行なった検診の結果を加味してタイミングを決定するようにすることができる。
【００５１】
この場合、例えば、決定部２３は、既に行なった検診の時期に応じてタイミングを調整する。つまり本実施の形態の場合、検診対象者は、検診のための検体を採取するのに、在宅で行ない、その時期は、変動しやすい。よってタイミングを、検体を採取した日から起算して上記期間が経過したときに、タイミングを定める。即ち、例えば、このタイミングを、検体を採取した日から６ケ月後に対応する日とする。
【００５２】
また決定部２３は、医師の判断によりタイミングを調整する。つまり、前回の検診の結果を見た医師が、その結果によりタイミングを早くしたり遅くしたりする調整を行なう。
【００５３】
また決定部２３は、身体特性の情報から、検診の項目についての優先度を決定し、この優先度に基づきタイミングを決定してもよい。
【００５４】
図７は、決定部２３が、優先度を決定する第１の例を示した図である。
ここでは、決定部２３は、身体特性の情報と身体特性の基準値との差を基に算出されるスコアにより優先度を決定する。図示する例では、身体特性として、図４に例示した健康診断通知書における検診の項目に対応する基準値および測定値を使用する。そして、検診の項目のうち、「血圧収縮期」、「中性脂肪」、「γ−ＧＴ」、「空腹時血糖」、「赤血球数」を利用し、検血についての優先度を求める場合を示している。優先度を求めるには、算出規則として、まず測定値と基準値との差を算出する。ただし測定値が基準値を満たしている場合は、差は０とする。さらにこの差にウエイトを乗算し、各項目について全て足し合わせ、総計であるスコアを求める。
【００５５】
図４に例示した検診対象者の例では、血圧収縮期、中性脂肪、γ−ＧＴ、空腹時血糖、赤血球数の各項目についての測定値と基準値との差は、上記算出規則によれば、それぞれ６、１、０、７、１２０である。よってスコアは、６×３＋１×１＋０×２＋７×２＋１２０×０．１＝４５となる。そしてこのスコアが高いほど優先度は、大きくなり、スコアが低いほど優先度は小さくなる。
【００５６】
また図８は、決定部２３が、優先度を決定する第２の例を示した図である。
ここでは、決定部２３は、身体特性の情報の中にある検診対象者の病名を基に優先度を決定する。図示する例では、病名に対し、検尿、検便および検血についての各項目の優先度を１、２、３の数値で設定した場合を示している。この場合、１が優先度が最も高く、２が次に優先度が高く、３が最も優先度が低いことを示している。
【００５７】
そしてこの優先度に基づき、決定部２３は、検診の項目を選択し、タイミングを決定する。例えば、検尿、検便および検血について、優先度が最も高い項目を選択し、選択した項目についてタイミングを決定してもよく、優先度が２番目までの項目を選択し、選択した２つの項目についてタイミングを決定してもよい。また図７で説明したようなスコアを利用する場合は、このスコアに予め定められた閾値を適用し、スコアが閾値以上の場合に、検診の項目として選択するようにしてもよい。そして優先度が低い検診の項目については、タイミングをさらに次にタイミングにするなど遅らせてもよく、検診を行なわずにタイミングを設定しないようにしてもよい。なお設定するタイミングは、優先度を基に選択した項目について、例えば、図５、６で上述したタイミングを採用してもよく、他のタイミングを採用してもよい。
【００５８】
検診は、その項目数が多いと、検診対象者の負担になりやすく、検尿、検便および検血の全てを行なうことは、好ましくないことがある。よってこの場合、優先度を利用して、より必要性の高い項目について検診を行なうようにする。
【００５９】
また決定部２３が、タイミングを決定する方法は、上述した方法に限られるものではない。例えば、検診対象者の生活習慣に応じてタイミングを決定してもよく、ＤＮＡ情報等から罹患しやすい病気を選択し、これに応じてタイミングを決定してもよい。
【００６０】
出力部２４は、出力手段の一例である。そして出力部２４は、決定されたタイミングにて、検尿、検便および検血の少なくとも１つを誘導する誘導情報を出力する。
上述した通り、誘導情報は、検診対象者に対する検診の項目および決定されたタイミングについての情報を含む。そして図１、２の例では、誘導情報は、代理店の管理サーバ４０に送られ、代理店では、検査キットを検診対象者に届けるための情報として使用する。
【００６１】
図９は、誘導情報の第１の例について示した図である。
この表の中で、氏名は、検診対象者の氏名である。またコード、氏名、郵便番号（〒）および住所は、検診対象者を特定する情報であり、上述した検診対象者の情報である。さらにここでは、検診対象者の性別、年齢が記載されている。この場合、検診対象者は、検尿、検便および検血の全ての項目について検診を行なう。そして、決定されたタイミングとして検尿、検便および検血のそれぞれの次回検診日が記載されている。
【００６２】
この誘導情報を閲覧した代理店側では、これに基づき、検尿、検便および検血についての検査キットを検診対象者に対し、届けることができる。
【００６３】
また誘導情報は、検査キットを検診対象者に届けるとともに、検診以外のサービスに関連付けられた情報であってもよい。つまり代理店は、検査キットを、検診対象者の自宅に訪問して届けるとともに、検診対象者に対して検診以外の他のサービスを行なう。このサービスは、例えば、インフラ供給に関するサービスである。具体的には、ガス、電気、水道についての検針、電気やガスの機器点検、プロパンガスのボンベ交換、電力会社変更の案内、電気容量の変更、光ファイバの設置工事などが該当する。
【００６４】
図１０は、誘導情報の第２の例について示した図である。
ここでは、図９の表に対し、サービスの欄が新たに加わり、サービスの内容と実施日が記載されている。代理店では、検診日とサービスの実施日を見て、サービスの実施日に、検査キットを検診対象者の自宅に届けるようにする。またサービスの実施日に、検体を回収するようにしてもよい。なお検診日およびサービスの実施日により、これらの何れかを早くしたり遅くしたりする調整を行なってもよい。
【００６５】
＜検診システム１の処理の説明＞
次に本実施の形態の検診システム１で行なう処理の例について、より詳細に説明を行なう。
【００６６】
［第１の実施形態］
まず本実施の形態の検診システム１の動作の第１の実施形態について説明する。第１の実施形態では、検診対象者に対する検診のタイミングを決定し、これに応じて誘導情報を出力する場合について説明を行なう。
【００６７】
図１１は、検診システム１における第１の実施形態の動作について示したフローチャートである。
まず運営会社の管理サーバ２０の取得部２１が、検診対象者の情報を取得する（ステップ１０１）。さらに取得部２１は、検診対象者の身体特性を取得する（ステップ１０２）。これらの情報は、上述したように、例えば、端末装置１０により入力される。
【００６８】
記憶部２２は、これらの情報を記憶する（ステップ１０３）。
また検診の項目について優先度を決定する場合は、決定部２３が、この優先度を決定する（ステップ１０４）。なおこの優先度は、必ずしも決定する必要はなく、優先度を設定せずに、次の検診を行なうタイミングを決定してもよい。
さらに決定部２３は、検診対象者の個々の身体特性の情報に基づいて検診を行なうタイミングを検診対象者ごとに決定する（ステップ１０５）。
【００６９】
そして出力部２４が、決定部２３で決定されたタイミングにて、検尿、検便および検血の少なくとも１つを誘導する誘導情報を出力する（ステップ１０６）。この誘導情報は、例えば、図９で示したものとなり、予め定められた期間毎に出力される。
【００７０】
代理店の管理サーバ４０では、送受信部４１が、誘導情報を取得し、記憶部４２にて記憶する（ステップ１０７）。
また管理サーバ４０は、管理サーバ６０に、検診対象者の情報および検診の項目を送り、管理サーバ６０では、これを取得して記憶部６２にて記憶する（ステップ１０８）。
また代理店では、端末装置３０を使用して、表示部３２にて誘導情報を閲覧し、この誘導情報に従い、検診対象者に検査キットを届ける（ステップ１０９）。
そして検診キットを使用した結果得られた検体は、回収され、検査会社に届けられる（ステップ１１０）。
【００７１】
検査会社では、検体を使用して所定の検査を行なわれ、その検診結果は、端末装置５０の入力部５３により入力され、管理サーバ６０の送受信部６１が取得する。そして記憶部６２にて検診対象者の情報と関連付けて記憶する（ステップ１１１）。
また検診結果は、送受信部６１から運営会社の管理サーバ２０に送られる（ステップ１１２）。
そして管理サーバ２０では、取得部２１が、検診結果を受け付け、記憶部２２が、検診対象者の身体特性として記憶する（ステップ１１３）。
【００７２】
［第２の実施形態］
次に本実施の形態の検診システム１の動作の第２の実施形態について説明する。第２の実施形態では、検診の他に、検診以外の他のサービスを併せて提供する場合について説明を行なう。
【００７３】
図１２は、検診システム１における第２の実施形態の動作について示したフローチャートである。
ステップ２０１〜ステップ２０２は、図１１のステップ１０１〜ステップ１０２と同様である。
次にステップ２０３では、取得部２１は、検診対象者に対する検診以外の他のサービスに関する情報を取得する（ステップ２０３）。例えば、この情報は、端末装置１０により入力され、記憶部２２において予め記憶しておき、これを取得部２１が取得する。この情報には、例えば、検診対象者に対するサービスの内容や実施日等が含まれる。
【００７４】
次のステップ２０４〜ステップ２１０は、図１１のステップ１０３〜ステップ１０９と同様であるので、説明を省略する。
そしてステップ２１１において、検査キットを届けるとともに、検診対象者に対するサービスを提供する（ステップ２１１）。
以下の、ステップ２１２〜ステップ２１５は、ステップ１１０〜ステップ１１３と同様である。なおサービスの提供は、ステップ２１２の検査キットの回収の際に行なってもよい。
【００７５】
従来は、検診を行なうには、検診対象者の申し込みが前提である。そのため特に予め定められた期間毎に検診を受ける場合などは、検診対象者が次回の検診の申し込みを忘れることがある。この場合、検診対象者は、適切なタイミングで検診を受けることができず、病気の発見が遅れたり、症状の悪化を招くおそれがある。
対して、本実施の形態では、検診のタイミングを、検診対象者の検診の申し込みの有無に関係なく決定する。そのため検診のタイミングを検診対象者が把握している必要はない。そして、検診のタイミングは、身体特性など適切な情報により、より適切に決定することができる。そのため検診対象者は、検診を逃すことも少なくなり、病気の発見が遅れたり、症状の悪化を招くおそれが少なくなる。また適切なタイミングで、より必要性の高い検診を受けることができる。
【００７６】
また上述した第２の実施形態では、検診以外の他のサービスを提供するタイミングに合わせ、検査キットを検診対象者に届けたり回収することができる。そのため検診対象者と接する機会を増やすことができ、営業活動に好ましい結果が得られやすくなる。
【００７７】
＜プログラムの説明＞
ここで以上説明を行った本実施の形態における管理サーバ２０が行なう処理は、例えば、アプリケーションソフトウェア等のプログラムとして用意される。そしてこの処理は、ソフトウェアとハードウェア資源とが協働することにより実現される。即ち、管理サーバ２０に設けられたコンピュータ内部の図示しないＣＰＵが、上述した各機能を実現するプログラムを実行し、これらの各機能を実現させる。
【００７８】
よって本実施の形態で、管理サーバ２０が行なう処理は、コンピュータに、検診対象者の情報を取得する取得機能と、検診対象者の情報と、検診対象者の個々の身体特性の情報とを記憶する記憶機能と、検診対象者の個々の身体特性の情報に基づいて検診を行なうタイミングを検診対象者ごとに決定する決定機能と、決定されたタイミングにて、検尿、検便および検血の少なくとも１つを誘導する誘導情報を出力する出力機能と、を実現させるためのプログラムとして捉えることもできる。
【００７９】
なお、本実施の形態を実現するプログラムは、通信手段により提供することはもちろんＣＤ−ＲＯＭ等の記録媒体に格納して提供することも可能である。
【００８０】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００８１】
１…検診システム、１０、３０、５０…端末装置、２０、４０、６０…管理サーバ、２１…取得部、２２…記憶部、２３…決定部、２４…出力部
【図１】
2020009069.tif 000003
【図２】
2020009069.tif 000004
【図３】
2020009069.tif 000005
【図４】
2020009069.tif 000006
【図５】
2020009069.tif 000007
【図６】
2020009069.tif 000008
【図７】
2020009069.tif 000009
【図８】
2020009069.tif 000010
【図９】
2020009069.tif 000011
【図１０】
2020009069.tif 000012
【図１１】
2020009069.tif 000013
【図１２】
2020009069.tif 000014